(57)【要約】【課題】シートカバーの伸張性の差を極力維持しつつ、伸張性に劣るクッション材１０をシートカバーに配設することにある。【解決手段】クッション材１０が、高伸張部位１０Ｄに対面配置されている第一クッション部位１０ａと、低伸張部位２０Ｄに対面配置されている第二クッション部位１０ｂを有しており、クッション材１０の面方向において第二クッション部位１０ｂに比して第一クッション部位１０ａを伸びやすくする伸張性変更部２１Ａが、第一クッション部位１０ａと第二クッション部位１０ｂの少なくとも一方に設けられている。【選択図】図５
2017206088.tif 000002
【特許請求の範囲】
【請求項１】
乗物用シートの意匠面を構成するとともに、面方向に伸びやすい高伸張部と、前記高伸張部に比して伸びにくい低伸張部とを備えている乗物用シートのシートカバーにおいて、
前記シートカバーの意匠面とは反対の裏側に、前記シートカバーに比して伸張性に劣る面状のクッション材が一体的に設けられているとともに、前記クッション材が、前記高伸張部に対面配置されている第一クッション部位と、前記低伸張部に対面配置されている第二クッション部位を有しており、
前記クッション材の面方向において前記第二クッション部位に比して前記第一クッション部位を伸びやすくする伸張性変更部が、前記第一クッション部位と前記第二クッション部位の少なくとも一方に設けられている乗物用シートのシートカバー。
【請求項２】
前記第一クッション部位に設けられた前記伸張性変更部によって、前記第一クッション部位の伸張が助長されている請求項１に記載の乗物用シートのシートカバー。
【請求項３】
前記シートカバーの裏側に前記クッション材が接着されて一体的に設けられているとともに、
前記クッション材の前記シートカバーを臨む表面が平坦であって、前記クッション材の表面とは反対の裏側に前記伸張性変更部が設けられている請求項１又は２に記載の乗物用シートのシートカバー。
【請求項４】
前記伸張性変更部が、前記第一クッション部位と第二クッション部位の少なくとも一方の形状で構成されている請求項１〜３のいずれか一項に記載の乗物用シートのシートカバー。
【請求項５】
前記伸張性変更部が、前記第一クッション部位と第二クッション部位のいずれか一方の素材で構成されている請求項１〜３のいずれか一項に記載の乗物用シートのシートカバー。
【発明の詳細な説明】
【技術分野】
【０００１】
本発明は、シートの意匠面を構成するとともに伸張性が部分的に異なる乗物用シートのシートカバーに関する。
【背景技術】
【０００２】
この種の乗物用シートでは、シート性能向上の観点から、シートカバーの伸び特性を部分的に異ならせたいとの要請がある。例えば乗員に接するシートカバー部分を伸びやすくすることで、乗員に対するフィット感を向上させることができる。またシートカバーの側部を伸びにくくすることにより、カーブ走行時における乗員に対する支持性能が向上する。例えば特許文献１に開示の乗物用シートでは、シート外形をなして乗員を弾性的に支持するシートパッドと、シートパッドを被覆する織物又は編物製のシートカバーを有する。そこでシートカバーに、糸材が密に配置された第一部位と、糸材が疎に配置されて第一部位に比して伸びやすい第二部位を形成する。このように公知技術では、シートカバーをなす糸材が粗密に適宜配置されることで、シートカバーを、部分的に伸びやすくしたり伸びにくくしたりすることができる。
【０００３】
ところでこの種のシートカバーは、シートの見栄え向上の観点などから、適度な張りを持ってシートパッドに被覆されていることが望まれる。例えば織物又は編物製のシートカバーはそれ自体柔軟で張りがないため、例えばシートカバーの意匠面とは反対の裏面に、ウレタンラミなどの比較的に型崩れしにくい面状のクッション材を配設することが考えられる。そして型崩れしにくいクッション材によってシートカバーに適度な張りを持たせることにより、シートの意匠面にシワやたるみができることが好適に回避される。
【先行技術文献】
【特許文献】
【０００４】
【特許文献１】特開２０１５−２８３０号公報
【発明の概要】
【発明が解決しようとする課題】
【０００５】
しかし上述のクッション材は、相対的に型崩れしにくい一方で、シートカバーに比して面方向の伸張性に劣っている。このためシートカバー自体に明確な伸張性の差を設けたとしても、この伸張性の差がクッション材によって打ち消されて曖昧になってしまうおそれがあった。本発明は上述の点に鑑みて創案されたものであり、本発明が解決しようとする課題は、シートカバーの伸張性の差を極力維持しつつ、伸張性に劣るクッション材をシートカバーに配設することにある。
【課題を解決するための手段】
【０００６】
上記課題を解決するための手段として、第１発明の乗物用シートのシートカバーは、乗物用シートの意匠面を構成するとともに、面方向に伸びやすい高伸張部と、高伸張部に比して伸びにくい低伸張部とを備えている。そしてシートカバーの意匠面とは反対の裏側に、シートカバーに比して伸張性に劣る面状のクッション材が一体的に設けられているとともに、クッション材が、高伸張部に対面配置されている第一クッション部位と、低伸張部に対面配置されている第二クッション部位を有している。このように本発明では、クッション材によってシートカバーに適度な張りを持たせるのであるが、この種の構成においては、シートカバーの伸張性の差を極力維持しつつ、伸張性に劣るクッション材をシートカバーに配設できることが望ましい。
【０００７】
そこで本発明においては、クッション材の面方向において第二クッション部位に比して第一クッション部位を伸びやすくする伸張性変更部が、第一クッション部位と第二クッション部位の少なくとも一方に設けられている。本発明のクッション材には、シートカバーの伸張性に応じて、相対的に伸びやすくすべき第一クッション部位と、相対的に伸びにくくすべき第二クッション部位が設けられている。そして伸張性変更部によって、クッション材の面方向において第二クッション部位に比して第一クッション部位が伸びやすくされている。こうして伸張性変更部にてクッション材自体に所望の伸張性の差を設けることにより、シートカバーの各部位に設けられた伸張性の差が、クッション材によって打ち消されることを極力回避することができる。
【０００８】
第２発明の乗物用シートのシートカバーは、第１発明の乗物用シートのシートカバーにおいて、第一クッション部位に設けられた伸張性変更部によって、第一クッション部位の伸張が助長されている。本発明においては、伸張性変更部によって、第一クッション部位の伸張を助長することにより、シートカバーの各部位に設けられた伸張性の差をより好適に維持することができる。
【０００９】
第３発明の乗物用シートのシートカバーは、第１発明又は第２発明の乗物用シートのシートカバーにおいて、シートカバーの裏側にクッション材が接着されて一体的に設けられている。そしてクッション材のシートカバーを臨む表面が平坦であって、クッション材の表面とは反対の裏側に伸張性変更部が設けられている。本発明においては、シートカバーの裏面に、クッション材の平坦な面を比較的強固に接着して一体化する。その上でクッション材の裏面に設けられた伸張性変更部によって、シートカバーの各部位に設けられた伸張性の差を極力維持することができる。
【００１０】
第４発明の乗物用シートのシートカバーは、第１発明〜第３発明のいずれかの乗物用シートのシートカバーにおいて、伸張性変更部が、第一クッション部位と第二クッション部位の少なくとも一方の形状で構成されている。本発明においては、伸張性変更部を、各クッション部位の形状にて構成するため、クッション材の素材を各部位毎に変える必要のないシンプルな構成とすることができる。
【００１１】
第５発明の乗物用シートのシートカバーは、第１発明〜第３発明のいずれかの乗物用シートのシートカバーにおいて、伸張性変更部が、第一クッション部位と第二クッション部位のいずれか一方の素材で構成されている。本発明においては、伸張性変更部を、第一クッション部位又は第二クッション部位の素材によって構成する。このためクッション材の形状を極端に変更する必要がなく、クッション材の形状変化に伴う悪影響を極力回避することができる。
【発明の効果】
【００１２】
本発明に係る第１発明によれば、シートカバーの伸張性の差を極力維持しつつ、伸張性に劣るクッション材をシートカバーに配設することができる。また第２発明によれば、シートカバーの伸張性の差をより好適に維持しつつ、伸張性に劣るクッション材をシートカバーに配設することができる。また第３発明によれば、伸張性に劣るクッション材をシートカバーにより強固に配設することができる。また第４発明によれば、シートカバーの伸張性の差をよりシンプルな構成で極力維持しつつ、伸張性に劣るクッション材をシートカバーに配設することができる。そして第５発明によれば、伸張性に劣るクッション材をシートカバーに性能良く配設することができる。
【図面の簡単な説明】
【００１３】
【図１】乗物用シートの正面図である。
【図２】低伸張部の拡大正面図である。
【図３】高伸張部の拡大正面図である。
【図４】別例にかかる高伸張部の拡大正面図である。
【図５】シートカバー一部の断面図である。
【図６】変形例１にかかるシートカバー一部の断面図である。
【図７】変形例２にかかるシートカバー一部の断面図である。
【図８】変形例３にかかるシートカバー一部の断面図である。
【図９】変形例４にかかるシートカバー一部の断面図である。
【図１０】変形例５にかかるシートカバー一部の断面図である。
【発明を実施するための形態】
【００１４】
以下、本発明を実施するための形態を、図１〜図１０を参照して説明する。図１には、便宜上、乗物用シートの上下方向と左右方向を示す矢線を図示する。なお図２〜図４において、各図に示された複数の編目は全て同一ループ長の編目であるが、編目同士の配置関係をわかりやすく図示するため、紙面に図示された特定の編目を太線で示し、その他の編目を細線で示す。
【００１５】
図１の乗物用シート２は、シートクッション４と、シートバック６を有する。これらシート構成部材は、各々、シート骨格をなす図示しないシートフレーム（４Ｆ，６Ｆ）と、乗員を弾性的に支持する図示しないシートパッド（４Ｐ，６Ｐ）と、シートパッドを被覆する後述のシートカバー（４Ｓ，６Ｓ）を有する。ここで各シートフレーム４Ｆ，６Ｆ（図示省略）は、典型的に略矩形又はアーチ状とされた金属製の枠体で構成されている。また各シートパッド４Ｐ，６Ｐ（図示省略）は、シート外形をなす部材であり、ポリウレタンフォーム（密度：１０ｋｇ／ｍ3〜６０ｋｇ／ｍ3）等の発泡樹脂で形成できる。
【００１６】
そしてシートクッション４の後部には、シートバック６の下部が起倒可能に連結されている。またシートバック６の上部にはヘッドレスト８が一体的に設けられており、このヘッドレスト８は、シート幅方向におけるシートバック６の中央が上方に突出することで構成されている。そしてシートバック６とヘッドレスト８の間には、意匠性向上の観点等から一対の孔部Ｈが設けられており、これら一対の孔部Ｈは、シート幅方向に並列して配置されている。
【００１７】
ここでシートクッション４の上面は、天板メイン部４ａと、一対の天板サイド部４ｂに区分けできる。天板メイン部４ａは、シート幅方向におけるシートクッション４の中央部位であり、一般的な体格の乗員に合わせた幅寸法でシート前後方向に延びている。また天板メイン部４ａの左右両側には、それぞれ天板メイン部４ａよりも上方に突出する天板サイド部４ｂが設けられており、これら左右の天板サイド部４ｂによってカーブ走行時などの旋回時に乗員側部を支持できる。
【００１８】
またシートバック６の正面も、天板メイン部６ａと、一対の天板サイド部６ｂに区分けできる。天板メイン部６ａは、シート幅方向におけるシートバック６の中央部位であり、適度な幅寸法でシート前後方向に延びている。また天板メイン部６ａの左右両側には、それぞれ天板メイン部６ａよりも前方に突出する天板サイド部６ｂが設けられており、これら左右の天板サイド部６ｂによってカーブ走行時などの旋回時に乗員側部を支持できる。
【００１９】
［シートカバー］
各シートカバー４Ｓ，６Ｓは、それぞれシートの意匠面を構成する面材であり、複数の表皮ピースを縫合して構成することができ、また一枚物の面材で構成することもできる。ここでシートの意匠面は、シートカバー４Ｓ，６Ｓを対応するシートパッドに被せた状態においてシート外に目視可能に露出する面であり、シートカバー４Ｓ，６Ｓの表面で構成されている。そしてシートクッション４の上面を覆うシートカバー４Ｓ部分は、第一表皮ピースＳＰ１〜第三表皮ピースＳＰ３を縫合することで形成されている。第一表皮ピースＳＰ１は、天板メイン部４ａを覆う表皮ピースであり、後述する一枚物の編物で構成されている。また第二表皮ピースＳＰ２と第三表皮ピースＳＰ３は、左右の天板サイド部４ｂを覆う表皮ピースであり、それぞれ後述する一枚物の編物で構成されている。またシートバック６の正面を覆うシートカバー６Ｓ部分は、後述する一枚物の編物で構成されており、天板メイン部６ａと天板サイド部６ｂに跨って配置されている。なお各シートカバー４Ｓ，６Ｓ中で、図示されていない部分又は符号の付されていない部分は、布帛（織物，編物，不織布）や皮革等の各種面材にて適宜構成することができる。
【００２０】
そして本実施例では、シートの着座性向上の観点等から、各シートカバー４Ｓ，６Ｓの伸び特性を部分的に異ならせている。すなわち後述するように、各シートカバー４Ｓ（６Ｓ）の適宜の位置に、最も伸びやすい高伸張部１０Ｄ（１０Ｕ）と、最も伸びにくい低伸張部２０Ｄ（２０Ｕ）と、適度に伸びやすい中伸張部３０Ｄ（３０Ｕ）を形成する。さらに各シートカバー４Ｓ，６Ｓの意匠面とは反対側の裏側には、図５を参照して、各シートカバー４Ｓ，６Ｓに比して伸張性に劣る面状のクッション材１０が一体的に設けられている。そしてクッション材１０にて各シートカバー４Ｓ，６Ｓに適度な張りを持たせて、シートの意匠面にシワやたるみができることを好適に回避する。この種の構成においては、各シートカバー４Ｓ，６Ｓの伸張性の差を極力維持しつつ、各シートカバー４Ｓ，６Ｓにクッション材１０を配設できることが望ましい。そこで本実施例では、後述する構成によって、各シートカバー４Ｓ，６Ｓの伸張性の差を極力維持しつつ、伸張性に劣るクッション材１０を各シートカバー４Ｓ，６Ｓに配設することとした。以下、シートクッション４のシートカバー４Ｓとシートバック６のシートカバー６Ｓの順にこれらの構成について詳述する。なお各シートカバー４Ｓ，６Ｓの基本的な形成手法は同一であることから、シートカバー４Ｓを一例にその形成手法を説明する。
【００２１】
［シートクッションの高伸張部］
シートクッション４の下部高伸張部１０Ｄは、図１を参照して、シートカバー４Ｓ中で面方向であるシート前後方向に最も伸びやすい部位であり、着座状態の乗員の脚部（例えば脹脛）が当接するシートカバー４Ｓ部分に配置されている。この下部高伸張部１０Ｄは、シート幅方向に長尺とされた略矩形状をなしており、天板メイン部４ａの前部全幅を網羅するとともにその左右端が対応する天板サイド部４ｂにはみ出して配置されている。そして下部高伸張部１０Ｄの前辺は、シートクッション４の前端に沿って形成されている。また下部高伸張部１０Ｄの後辺は、前方に凸の湾曲形状をなしており、シート幅方向における左右から中央に向かうにつれて次第に前方に向けて湾曲している。
【００２２】
［シートクッションの低伸張部］
シートクッション４の下部低伸張部２０Ｄは、シートカバー４Ｓ中でシート前後方向に最も伸張しにくい部位であり、カーブ走行時などの旋回時に乗員側部を支持可能なシートカバー４Ｓ部分に配置されている。この下部低伸張部２０Ｄは、シート前後方向に長尺とされた略矩形状をなしており、左右の天板サイド部４ｂにそれぞれ配置されている。すなわち右側の下部低伸張部２０Ｄが、右側の天板サイド部４ｂにおいて下部高伸張部１０Ｄの右側に隣接して設けられている。また左側の下部低伸張部２０Ｄが、左側の天板サイド部４ｂにおいて下部高伸張部１０Ｄの左側に隣接して設けられている。そしてこれら左右の下部低伸張部２０Ｄは、下部高伸張部１０Ｄを除く各天板サイド部４ｂの内側に配置されており、各天板サイド部４ｂを前後に縦断するように延設されている。
【００２３】
［シートクッションの中伸張部］
シートクッション４には、上述の下部高伸張部１０Ｄと下部低伸張部２０Ｄ以外の部分に下部中伸張部３０Ｄを設けることができる。この下部中伸張部３０Ｄは、下部高伸張部１０Ｄよりも伸張性に劣るとともに下部低伸張部２０Ｄよりも伸張性に優れている部位である。そして本実施例においては、下部中伸張部３０Ｄが、下部高伸張部１０Ｄの後側に隣接して設けられており、着座状態の乗員の臀部が当接するシートカバー４Ｓ部分に配置されている。この下部中伸張部３０Ｄは、シート幅方向に長尺とされた略矩形状をなしており、天板メイン部４ａの後部全幅を網羅している。また下部中伸張部３０Ｄの左右端は、対応する天板サイド部４ｂにはみ出して配置されており、前側の下部高伸張部１０Ｄと後側の下部中伸張部３０Ｄの外側に配置されている。
【００２４】
［表皮ピース（編物）の形成作業］
図２及び図３を参照して、例えば横編機を用いて、各表皮ピースＳＰ１〜ＳＰ３としての編物を形成する。そして編物では、後述する編目のループ長の違いという比較的簡単な構成などによって各部１０Ｄ，２０Ｄ，３０Ｄを連続して形成でき、さらに各部１０Ｄ，２０Ｄ，３０Ｄに明確な伸張性の差を設けることができる。なお編物は、経編又は緯編のいずれであってもよい。ここで緯編として、基本組織（平編，ゴム編，パール編）やその変化組織を例示できる。また経編として、基本組織（デンビー編，コード編，アトラス編，鎖編）やその変化組織を例示できる。そして本実施例のシートカバー４Ｓにおいては、同様の手法によって、各表皮ピースＳＰ１〜ＳＰ３に対応する部位を形成できる。なお編物の構成糸である糸材Ｙ１の素材として、植物系及び動物系の天然繊維、熱可塑性樹脂又は熱硬化性樹脂からなる化学繊維及びこれらの混繊糸を例示できる。そして糸材Ｙ１として、紡績糸、フィラメント、延伸糸、嵩高加工された糸材（モール糸，タスラン加工糸，仮撚加工糸，カバリング糸等）などの各種糸材を使用できる。また糸材Ｙ１に、起毛処理や毛羽立ち処理を施して乗員に対するホールド性を向上させることもできる。
【００２５】
［低伸張部の形成作業］
図２を参照して、下部低伸張部２０Ｄの編地を、所定ループ長ＬＦの糸材Ｙ１のループで形成された編目ＲＦによって形成する。この下部低伸張部２０Ｄでは、編地を形成する編目ＲＦが、他の各部の中で最も短いループ長に設定されており、シートカバー４Ｓの中で面方向に最も伸びにくくされている。なお下部低伸張部２０Ｄにおけるコース方向Ｘ又はウェール方向Ｙにおける所定面積当たりの目数（編目の数）は、シートカバー４Ｓとしての強度を確保できる限り特に限定しない。
【００２６】
［高伸張部の形成作業］
また図３を参照して、下部高伸張部１０Ｄの編地を、ループ長ＬＡ（ＬＡ＞ＬＦ）の糸材Ｙ１のループで形成された大編目ＲＡによって形成する。この大編目ＲＡは、上述の編目ＲＦに比して長い糸材Ｙ１のループで形成されている。すなわち下部高伸張部１０Ｄを形成する大編目ＲＡが、他の各部の中で最も長いループ長に設定されており、シートカバー４Ｓの中で面方向に最も伸びやすくされている。なお下部高伸張部１０Ｄにおけるコース方向Ｘ又はウェール方向Ｙにおける所定面積当たりの目数も特に限定しない。
【００２７】
［中伸張部の形成作業］
そして下部中伸張部３０Ｄの編地を、大編目ＲＡと編目ＲＦの間のループ長に設定された中編目（図示省略）にて形成することができる。このとき下部中伸張部３０Ｄを比較的伸びにくくしたい場合には、ループ長ＬＦに近いループ長さで中編目を形成する。また下部中伸張部３０Ｄを比較的伸びやすくしたい場合には、ループ長ＬＡに近いループ長さで中編目を形成する。
【００２８】
［別例］
ここでシートカバー４Ｓの伸張性の差は、上述の構成のほか、各種の構成にて設けることができる。例えば各部において編物の密度を変更することができる。また図４を参照して、下部高伸張部１０Ｄに、通常の編地を構成するニット組織（符号省略）に比して伸びやすいタック組織ＴＲを相対的に多く形成することができる。このタック組織ＴＲは、糸材Ｙ１を、縦方向であるウェール方向Ｙに複数段飛ばしてループを作ることで形成できる。なお下部低伸張部や下部中伸張部には、下部高伸張部１０Ｄに比して少ないタック組織ＴＲが形成されていてもよく、タック組織ＴＲが形成されていなくともよい。またタック組織の代わりにミス（ウェルト）組織を適宜用いることもできる。
【００２９】
またシートカバー４Ｓの伸張性の差を、各部位における構成糸の種類を変更することで設けることもできる。例えば下部高伸張部１０Ｄの構成糸に多くの弾性糸を用いることで、下部高伸張部１０Ｄを相対的に伸びやすくすることができる。この弾性糸は、初期引張抵抗度４．９ＧＰａ以上（典型的に４．９ＧＰａ〜６００ＧＰａ）の線材であり、好ましくは同抵抗度５４ＧＰａ〜２８０ＧＰａの線材である。なお初期引張抵抗度は、ＪＩＳ  Ｌ  １０１３  ８．１０に基づいて測定できる。この種の弾性糸の材質は特に限定しないが、パラ系アラミド繊維、メタ系アラミド繊維、ポリアリレート繊維、ポリパラフェニレンベンゾビスオキシサゾール繊維、ポリフェニレンサルファイド繊維、ポリエーテルエーテルケトン繊維、ポリイミド繊維を例示できる。なお下部低伸張部２０Ｄや下部中伸張部３０Ｄは、下部高伸張部１０Ｄに比して少ない本数の弾性糸を有していてもよく、弾性糸を有していなくともよい。
【００３０】
［クッション材］
クッション材１０は、図５を参照して、シートカバー４Ｓに比して伸張性に劣って型崩れしにくい面状部材であり、シートカバー４Ｓの裏側に一体化することができる。このクッション材１０は、第一クッション部位１０ａと、第二クッション部位１０ｂと、後述する伸張性変更部２１Ａを有している。第一クッション部位１０ａは、下部高伸張部１０Ｄに対面配置されている部位であり、第二クッション部位１０ｂは、下部低伸張部２０Ｄに対面配置されている部位である。この種のクッション材１０の素材として、スラブウレタン（ポリウレタンフォーム）などの発泡樹脂製のマット材、ゴム弾性を備えたエラストマ製やゴム製などのマット材、繊維積層体、繊維を立体的に交絡させてなる３Ｄネット体、シートカバー４Ｓに比して厚手の布帛を例示できる。そして本実施例のクッション材１０は、スラブウレタン製のマット材で構成されており、このマット材は、各表皮ピースＳＰ１〜ＳＰ３とほぼ同一の外形寸法を有している。
【００３１】
［接着層］
そしてクッション材１０とシートカバー４Ｓの一体化の手法は特に限定しないが、シートクッション４とクッション材１０を面方向に連続的に一体化できることが望ましく、接着や融着などの手法を好適に用いることができる。例えば図５を参照して、シートカバー４Ｓとクッション材１０の間に設けられた接着層１８によって、シートカバー４Ｓとクッション材１０を、これらの面方向に一様な接着強度で一体化することができる。なお接着層１８は、固化前において液状やゲル状などの流動性を有している接着剤で形成でき、シート状やシール状や粉状などの固形状の接着材で形成することもできる。そして本実施例においては、クッション材１０のシートカバー４Ｓを臨む表面が、反対側の裏側に比して略平坦とされている。このためシートカバー４Ｓの裏面に、クッション材１０の平坦な面を比較的強固に接着して一体化することができる。
【００３２】
［伸張性変更部］
伸張性変更部２１Ａは、クッション材１０の面方向において第二クッション部位１０ｂに比して第一クッション部位１０ａを伸びやすくさせるための構成である。この伸張性変更部２１Ａは、図５を参照して、第一クッション部位１０ａの裏側に形成された凹部位２２で構成されている。そして第一クッション部位１０ａの裏面形状が、伸張性変更部２１Ａによって凹み状とされることで、第一クッション部位１０ａの厚み寸法Ｔ１が第二クッション部位１０ｂの厚み寸法Ｔ２よりも小さくされている。こうして伸張性変更部２１Ａによって第一クッション部位１０ａを薄くすることにより、第一クッション部位１０ａの面方向の伸びが助長されて相対的に伸びやすくなる。そして伸張性変更部２１Ａを、第一クッション部位１０ａの形状にて構成することで、クッション材１０の素材を各部位毎に変える必要のないシンプルな構成とすることができる。
【００３３】
ここでクッション材１０裏側の伸張性変更部２１Ａは、シートカバー４Ｓに一体化する前に形成することができ、シートカバー４Ｓに一体化した後に形成することもできる。このように第一クッション部位１０ａの裏面形状で伸張性変更部２１Ａを構成することにより、伸張性変更部２１Ａの形成タイミングに自由度を持たせることができる。例えばシートカバー４Ｓにクッション材１０を一体化することで、シートカバー４Ｓの各部位１０Ｄ，２０Ｄとクッション材１０の各部位１０ａ，１０ｂの位置関係が固定される。このため一体化後に伸張性変更部２１Ａを形成する場合においては、第一クッション部位１０ａの適所により確実に伸張性変更部２１Ａを形成することができる。
【００３４】
［変形例１］
ここで伸張性変更部の構成は、上述の構成のほか、各種の構成を取り得る。例えば図６を参照して、変形例１の伸張性変更部２１Ｂは、第一クッション部位１０ａの裏面に形成された複数の溝部位２４で構成することができる。これら複数の溝部位２４は、第一クッション部位１０ａの裏面に適宜の間隔で形成された凹箇所であり、それぞれ適宜の方向に線状に延びている。こうして伸張性変更部２１Ｂによって第一クッション部位１０ａを部分的に薄くする（分割する）ことにより、第一クッション部位１０ａの面方向の伸びが助長されて相対的に伸びやすくなる。例えば下部高伸張部１０Ｄがシート前後方向に伸びやすくされている構成においては、複数の溝部位２４を、それぞれシート幅方向に向けて延設する。こうすることで第一クッション部位１０ａを、下部高伸張部１０Ｄに倣ってシート前後方向に伸びやすくすることができる。また下部高伸張部１０Ｄをシート幅方向に伸びやすくしている場合には、複数の溝部位２４を、シート前後方向に向けて延設することとなる。なお複数の溝部位２４を格子状に設けることで、シート前後方向及び幅方向の双方に伸びやすくすることができる。
【００３５】
［変形例２］
また変形例２の伸張性変更部２１Ｃは、図７を参照して、第一クッション部位１０ａの裏面に形成された複数の裏側スリット部位２６で構成することができる。これら複数の裏側スリット部位２６は、第一クッション部位１０ａの裏面に適宜の間隔で形成された切れ目であり、変形例１と同様に適宜の方向に線状に延設することができる。こうして伸張性変更部２１Ｃによって第一クッション部位１０ａを部分的に分割可能とすることにより、第一クッション部位１０ａの面方向の伸びが助長されて相対的に伸びやすくなる。
【００３６】
［変形例３］
また伸張性変更部は、図８を参照して、第一クッション部位１０ａと第二クッション部位１０ｂの少なくとも一方の素材によって構成することができる。例えば変形例３では、第二クッション部位１０ｂを、スラブウレタンなどの基本素材３０Ｘで構成する。そして第一クッション部位１０ａを、基本素材３０Ｘよりも伸びやすい伸張性変更部２１Ｄとしての高伸張素材３０Ｙで構成することで、相対的に面方向に伸びやすくする。この高伸張素材３０Ｙの種類は、基本素材３０Ｘに応じて適宜設定可能である。例えば基本素材３０Ｘとしてスラブウレタンを用いる場合、高伸張素材３０Ｙとして、ポリウレタン系エラストマ（ＴＰＵ）やポリエステル系エラストマ（ＴＰＥＥ）やスチレン系エラストマ（ＴＰＳ）やオレフィン系エラストマ（ＴＰＯ）等の各種エラストマ、シリコンゴムや天然ゴムなどの各種ゴムを例示できる。このように本変形例では、伸張性変更部２１Ｄを、第一クッション部位１０ａの素材である高伸張素材３０Ｙにて構成することで、クッション材１０の形状を部位毎に極端に変更する必要がなくなる。このためクッション材１０の形状変化に伴う悪影響（例えば着座性や意匠性の悪化）を好適に回避することができる。なお第一クッション部位１０ａと第二クッション部位１０ｂは二色成形などの手法により一体成形することができる。また第一クッション部位１０ａと第二クッション部位１０ｂを個別に成形したのちに一体化することもできる。
【００３７】
なお本変形例では、第一クッション部位１０ａを、スラブウレタンなどの基本素材で構成し、第二クッション部位１０ｂを、基本素材よりも面方向に伸張しにくい低伸張素材（図示省略）で構成することもできる。この場合には伸張性変更部としての低伸張素材によって、第二クッション部位１０ｂが相対的に面方向に伸びにくくされることとなる。この種の低伸張素材は、基本素材に応じて適宜設定可能であり、例えば密に繊維を積層した繊維積層体や、密に繊維を交絡させた３Ｄネット体を例示できる。
【００３８】
［変形例４］
また変形例４では、図９を参照して、第二クッション部位１０ｂを、所定密度の発泡樹脂からなる基本発泡材３２Ｘで構成する。また第一クッション部位１０ａを、基本発泡材３２Ｘよりも低密度の発泡樹脂からなる伸張性変更部２１Ｅとしての高伸張発泡材３２Ｙで構成することで、相対的に面方向に伸びやすくする。ここで基本発泡材３２Ｘとして、例えば密度５０ｇ／ｃｍ3〜１００ｇ／ｃｍ3のスラブウレタンを用いることができ、本変形例では着座性を考慮して密度７０ｇ／ｃｍ3のスラブウレタンを用いる。また高伸張発泡材３２Ｙとして、例えば基本発泡材３２Ｘよりも低密度のスラブウレタンを用いることができ、本変形例では乗員の支持性能を考慮して密度２０ｇ／ｃｍ3のスラブウレタンを用いる。このように本変形例では、第一クッション部位１０ａと第二クッション部位１０ｂを、密度は異なるものの一種類の発泡樹脂で構成することにより、異種類の素材を用いる場合に比して低コストでクッション材１０を構成できる。なお本変形例においても、第二クッション部位１０ｂを、伸張性変更部としての高密度の低伸張発泡材（図示省略）で構成することもできる。
【００３９】
［変形例５］
また変形例５では、図１０を参照して、第二クッション部位１０ｂに、第二クッション部位１０ｂの面方向の伸張を規制する伸張性変更部２１Ｆが設けられている。本変形例の伸張性変更部２１Ｆは、第二クッション部位１０ｂの表面に設けられた複数の表側スリット部位２８内に接着剤又は接着材を配置して硬化させることで構成されている。これら複数の表側スリット部位２８は、第二クッション部位１０ｂの表面に適宜の間隔で形成された切れ目であり、それぞれ適宜の方向に線状に延びている。そして各表側スリット部位２８に接着剤等を配置させるタイミングは、シートカバー４Ｓにクッション材１０を一体化する前でもよく、シートカバー４Ｓにクッション材１０を一体化する際でもよい。例えばシートカバー４Ｓとクッション材１０の間に流動性を備えた接着剤を付与したのち、この接着剤を、シートカバー４Ｓとクッション材１０で挟み付ける。このときの圧力によって、各表側スリット部位２８内に接着剤を含浸させることができる。そして第二クッション部位１０ｂを、伸張性変更部２１Ｆとしての各表側スリット部位２８で部分的に硬くして伸張を規制することにより、クッション材１０の面方向に相対的に伸びにくくすることができる。
【００４０】
なおシートカバー４Ｓの下部中伸張部３０Ｄにおいては、クッション材１０の第一クッション部位１０ａと第二クッション部位１０ｂのいずれかを対面配置しておくことができる。また下部中伸張部３０Ｄに、第一クッション部位１０ａと第二クッション部位１０ｂの中間の伸張性を有する第三クッション部位（図示省略）を対面配置しておくこともできる。この第三クッション部位は、例えば底浅の凹部位や、少数の各スリット部位や溝部位を設けることで形成できる。
【００４１】
［シートクッションの使用］
図１を参照して、乗物用シート２に乗員が着座することにより、シートクッション４にて乗員脚部から乗員臀部にかけての部分が支持される。そしてシートの着座性向上の観点等から、シートカバー４Ｓの伸び特性を部分的に異ならせているとともに、クッション材１０にてシートカバー４Ｓに適度な張りを持たせている。この種の構成においては、シートカバー４Ｓ自体に明確な伸張性の差を設けたとしても、この伸張性の差がクッション材１０によって打ち消されて曖昧になってしまうおそれがある。そこで本実施例では、クッション材１０に、シートカバー４Ｓの伸張性に応じて、相対的に伸びやすくすべき第一クッション部位１０ａと、相対的に伸びにくくすべき第二クッション部位１０ｂが設けられている。そして伸張性変更部２１Ａ等によって、クッション材１０の面方向において第二クッション部位１０ｂに比して第一クッション部位１０ａが伸びやすくされている。
【００４２】
こうして本実施例では、クッション材１０にてシートカバー４Ｓに張りを持たせつつ、さらに伸張性変更部２１Ａ等によって、シートカバー４Ｓに設けられた伸張性の差が極力維持されている。そしてシートクッション４に乗員が着座することにより、乗員脚部（例えば脹脛）が、天板メイン部４ａ前端に設けられた下部高伸張部１０Ｄに当接する。このとき図５に示す下部高伸張部１０Ｄとその裏側の第一クッション部位１０ａが最も伸びやすいことから、乗員脚部をスムーズに動かしてアクセルやブレーキやクラッチを操作することが可能となり、乗物の操作性を向上させることができる。さらに左右の天板サイド部４ｂに設けられた下部高伸張部１０Ｄと第一クッション部位１０ａによって乗員の体格差を吸収することができる。すなわち比較的大柄の乗員が着座した場合、乗員脚部が、左右の天板サイド部４ｂを外側に押し退けようとする。このとき天板サイド部４ｂの内側に配置する下部高伸張部１０Ｄと第一クッション部位１０ａが外側に向けて大きく伸張することとなる。またカーブ走行時においては、左右の天板サイド部４ｂによって乗員側部を支持する。このとき天板サイド部４ｂに設けられた下部低伸張部２０Ｄとその裏側の第二クッション部位１０ｂが最も伸張しにくいことから、旋回時の乗員側部をしっかりと支持できる。そして乗員臀部が、天板メイン部４ａの後部側に設けられた下部中伸張部３０Ｄを強く押圧する。このとき下部中伸張部３０Ｄが適度な伸張性を有して乗員臀部を包み込むようにフィットすることで、乗員臀部の前滑りなどの意図しない移動を好適に回避できる。
【００４３】
［シートバック］
つぎに図１を参照して、シートバック６のシートカバー６Ｓについて詳述する。このシートカバー６Ｓには、上部高伸張部１０Ｕと、上部低伸張部２０Ｕと、上部中伸張部３０Ｕが設けられている。またシートカバー６Ｓの裏側には、シートクッション４と同様にクッション材が一体化されている。そして上部高伸張部１０Ｕの裏側には、クッション材の第一クッション部位１０ａが配置されており、上部低伸張部２０Ｕの裏側には、クッション材の第二クッション部位１０ｂが配置されている。このシートバック６に設けられているクッション材の各部位１０ａ，１０ｂの基本構成は、シートクッション４のクッション材１０の対応する各部位１０ａ，１０ｂと略同一であることから詳細な説明は省略する。そして以下に、上部高伸張部１０Ｕと上部低伸張部２０Ｕと上部中伸張部３０Ｕについて専ら詳述することとする。
【００４４】
［シートバックの高伸張部］
シートバック６の上部高伸張部１０Ｕは、図１を参照して、シート幅方向で見た中央上部に設けられており、着座状態の乗員肩部や乗員頭部が当接するシートカバー６Ｓ部分に配置されている。この上部高伸張部１０Ｕは、シートカバー６Ｓにおいて面方向である上下方向に最も伸びやすい部位であり、下部高伸張部１０Ｄと同様の伸び特性を有し且つ下部高伸張部１０Ｄと同様の手法で形成できる。そして上部高伸張部１０Ｕの裏側には、シートクッション４と同様に第一クッション部位１０ａが配設されている。
【００４５】
そして上部高伸張部１０Ｕは、正面視でシート上下に長尺な略矩形状をなしており、その下辺が、中央に向かうにつれて次第に上方に凸の湾曲形状をなしている。この上部高伸張部１０Ｕは、シートバック６の上下方向の中央から一対の孔部Ｈを越えてヘッドレスト８の上端に延びている。また上部高伸張部１０Ｕの左右の幅寸法は、下方から上方に向かうにつれて次第に左右に張り出して幅広となっており、さらに一対の孔部Ｈの手前で引締められて幅狭とされている。そして上部高伸張部１０Ｕの左右に張り出している上部分に着座状態の乗員の肩甲骨が当接することとなる。またヘッドレスト８部分における上部高伸張部１０Ｕの幅寸法は、着座状態時の乗員頭部を支持可能な寸法に設定されており、シートバック６の上部高伸張部１０Ｕに比してやや幅狭である。
【００４６】
また上部高伸張部１０Ｕの下辺には上部中伸張部３０Ｕを隣接して設けることができる。この上部中伸張部３０Ｕは、上部高伸張部１０Ｕに連なる略矩形状の部位であり、上辺が上方に凸の湾曲形状をなしているとともに、下方に向かうにつれて次第に引締められている。そして上部中伸張部３０Ｕは、下部中伸張部３０Ｄと同様の伸び特性を有し且つ同様の手法で形成できる。なお本実施例においては、シートバック６の下端に上部中伸張部（符号省略）を設けて、シートクッション４の下部中伸張部３０Ｄに隣接させておくことができる。
【００４７】
［シートバックの低伸張部］
そしてシートカバー６Ｓには、上部高伸張部１０Ｕと上部中伸張部３０Ｕを除く部分に、上部低伸張部２０Ｕを設けることができる。この上部低伸張部２０Ｕは、シートカバー６Ｓにおいて最も面方向に伸張しにくい部位であり、下部低伸張部２０Ｄと同様の伸び特性を有し且つ下部低伸張部２０Ｄと同様の手法で形成できる。そしてシートバック６のシートカバー６Ｓにおいても、上部低伸張部２０Ｕの裏側に、シートクッション４と同様に第二クッション部位１０ｂが配設されている。そして上部低伸張部２０Ｕは、左右の天板サイド部６ｂから天板メイン部６ａ側に若干ははみ出して設けられている。さらに上部低伸張部２０Ｕの一部が、天板メイン部６ａの下部を横断するように設けられており、乗員の骨盤に対面可能な位置に配置されている。この上部低伸張部２０Ｕの一部は、上部中伸張部３０Ｕの下方に配置されており、下方に凸の緩やかな曲線状をなして左右に延びている。
【００４８】
［シートバックの使用］
図１を参照して、シートバック６に乗員が凭れることにより、乗員背部が、天板メイン部６ａの中央上部に当接する。このとき天板メイン部６ａの中央上部に設けられた上部高伸張部１０Ｕとその裏側の第一クッション部位１０ａが大きく伸長して乗員にフィットすることから、着座性に優れるシート構成となる。さらに上部高伸張部１０Ｕの左右に張り出している上部分とその裏側の第一クッション部位１０ａが大きく伸張して乗員の肩甲骨を包みこむように支持することとなる。また天板メイン部６ａの下部が乗員の骨盤によって強く押圧される。このとき天板メイン部６ａ下部を横断するように配置された上部低伸張部２０Ｕの一部とその裏側の第二クッション部位１０ｂによって、乗員の骨盤の押圧をしっかりと受け止めることで、乗員に対する支持性能が向上して運転姿勢を安定化することができる。さらに左右の天板サイド部６ｂに設けられた上部低伸張部２０Ｕ部分とその裏側の第二クッション部位１０ｂによって、旋回時の乗員側部をしっかりと支持できる。
【００４９】
以上説明したとおり本実施例では、クッション材１０に、各シートカバー４Ｓ，６Ｓの伸張性に応じて、相対的に伸びやすくすべき第一クッション部位１０ａと、相対的に伸びにくくすべき第二クッション部位１０ｂが設けられている。そして伸張性変更部２１Ａ等によって、クッション材１０の面方向において第二クッション部位１０ｂに比して第一クッション部位１０ａが伸びやすくされている。このため各シートカバー４Ｓ（６Ｓ）の各部位１０Ｄ，２０Ｄ，３０Ｄ（１０Ｕ，２０Ｕ，３０Ｕ）に設けられた伸張性の差が、クッション材１０によって打ち消されることを極力回避することができる。特に伸張性変更部２１Ａ等によって、第一クッション部位１０ａの伸張を助長することにより、各シートカバー４Ｓ，６Ｓに設けられた伸張性の差をより好適に維持することができる。このため本実施例によれば、各シートカバー４Ｓ，６Ｓの伸張性の差を極力維持しつつ、伸張性に劣るクッション材１０を各シートカバー４Ｓ，６Ｓに配設することができる。
【００５０】
本実施形態の乗物用シートのシートカバーは、上述した実施例に限定されるものではなく、その他各種の実施形態を取り得る。例えば本実施形態では、クッション材１０の構成（形状，寸法，配設位置，配設数，各クッション部位の構造など）を例示したが、同部材の構成を限定する趣旨ではない。例えばクッション材は、シートカバーの裏面全部に対面配置されていてもよく、シートカバーの裏面一部に対面配置されていてもよい。また第一クッション部位１０ａと第二クッション部位１０ｂの構成（形状，寸法，形成位置，形成数など）は、シートカバーの対応する各部位の構成に応じて適宜変更可能である。なおクッショ材のシートカバーを臨む表面は、シートカバーとの接着が極度に阻害されない限り凹凸状であってもよい。
【００５１】
また本実施形態では、伸張性変更部２１Ａ〜２１Ｆの構成（形状，寸法，形成位置，形成数）を例示したが、これら各部位の構成を限定する趣旨ではない。例えば実施例１の構成と各変形例の構成を適宜組み合わせて伸張性変更部を構成することができる。また伸張性変更部は、第一クッション部位と第二クッション部位の少なくとも一方に形成されていればよく、双方に形成されていてもよい。例えば伸張性変更部としての凹部位や溝部位や各裏側スリット部位を、第一クッション部位に多く形成し、第二クッション部位に少なく形成することができる。またクッション材の適宜の位置に、表側スリット部位と裏側スリット部位の双方を形成することができる。
【００５２】
また本実施形態では、シートカバー４Ｓ，６Ｓの構成（形状，寸法，表皮ピースの数，構成糸など）を例示したが、各シートカバーの構成を限定する趣旨ではない。例えばシートクッションのシートカバーを一枚物の面材で構成することができ、シートバックのシートカバーを複数の表皮ピースを縫合することで形成できる。またシートクッションとシートバックの双方を一つなぎのシートカバーで被覆することもでき、この場合のシートカバーは、一枚物の面材で構成することができ、また複数の表皮ピースを縫合することでも形成できる。なおシートカバーとして、編物のほか、伸張性の違いを出すことのできる各種の面材（織物や不織布等）を使用することができ、これら編物を含む各種の面材を適宜組み合わせて用いることもできる。また本実施形態においては、シートクッションにおいて、シート前後方向における伸張性に差を設けたが、シート左右方向における伸張性に差を設けることもできる。また同様にシートバックにおいて、シート上下方向における伸張性に差を設けたが、シート左右方向における伸張性に差を設けることもできる。
【００５３】
また本実施形態では、シートクッション４とシートバック６（ヘッドレスト８）を一例に説明したが、本実施形態の構成は、アームレスト等の各種シート構成部材のシートカバーに適用できる。なお乗物用シートの構成も適宜変更可能であり、例えばシートバックとヘッドレストを別体で構成することができる。また本実施形態の構成は、乗物用や航空機や電車などの乗物用シート全般に適用できる。
【符号の説明】
【００５４】
２     乗物用シート
４     シートクッション
６     シートバック
４Ｆ，６Ｆ    シートフレーム
４Ｐ，６Ｐ    シートパッド
４Ｓ，６Ｓ    シートカバー
ＳＰ１〜ＳＰ３  表皮ピース
４ａ，６ａ  天板メイン部
４ｂ，６ｂ  天板サイド部
１０Ｕ 上部高伸張部
１０Ｄ 下部高伸張部
２０Ｕ 上部低伸張部
２０Ｄ 下部低伸張部
３０Ｕ 上部中伸張部
３０Ｄ 下部中伸張部
１０   クッション材
１０ａ 第一クッション部位
１０ｂ 第二クッション部位
１８   接着層
２１Ａ〜２１Ｆ  伸張性変更部
２２   凹部位
２４   溝部位
２６   裏側スリット部位
２８   表側スリット部位
３０Ｘ 基本素材
３０Ｙ 高伸張素材
３２Ｘ 基本発泡材
３２Ｙ 高伸張発泡材
ＴＲ   タック組織
Ｙ１   糸材
【図１】
2017206088.tif 000003
【図２】
2017206088.tif 000004
【図３】
2017206088.tif 000005
【図４】
2017206088.tif 000006
【図５】
2017206088.tif 000007
【図６】
2017206088.tif 000008
【図７】
2017206088.tif 000009
【図８】
2017206088.tif 000010
【図９】
2017206088.tif 000011
【図１０】
2017206088.tif 000012